(57)【要約】      （修正有）【課題】軸受の低トルク化及び長寿命化を図ることができると共に、組み込み時の変形により保持器に発生する応力を緩和することができる円すいころ軸受を提供する。【解決手段】保持器１４は、大径側円環部と、前記大径側円環部と同軸配置される小径側円環部と、大径側円環部と小径側円環部とを連結すべく、円周方向に等間隔で複列配置される柱部１５とを有する円すいころ軸受１０であって、前記円すいころ軸受１０は、保持器１４の柱部１５の外周面とポケット部１６の円周方向を向く側面との間に面取部１７を設ける。【選択図】図２
2008175299.tif 000002
【特許請求の範囲】
【請求項１】
内周面に外輪軌道面を有する外輪と、外周面に内輪軌道面を有する内輪と、前記外輪軌道面と前記内輪軌道面との間に転動自在に配設される複数の円すいころと、前記円すいころを円周方向に等間隔に保持する保持器と、を備え、
前記保持器は、大径側円環部と、前記大径側円環部と同軸配置される小径側円環部と、前記大径側円環部と前記小径側円環部とを連結すべく、円周方向に等間隔で複数配置される柱部と、円周方向に互いに隣り合う前記柱部の間に形成され、前記円すいころを転動可能に保持するポケット部と、を有する円すいころ軸受であって、
前記保持器の前記柱部の外周面と前記ポケット部の円周方向を向く側面との間に面取部を設けることを特徴とする円すいころ軸受。
【請求項２】
前記面取部は、傾斜面であることを特徴とする請求項１に記載の円すいころ軸受。
【請求項３】
前記円すいころは、前記ポケット部に前記保持器の外周面側から圧入により組み込まれることを特徴とする請求項１又は２に記載の円すいころ軸受。
【発明の詳細な説明】
【技術分野】
【０００１】
本発明は、例えば、自動車の自動変速機や各種産業機械等の回転支持部に用いられる円すいころ軸受に関する。
【背景技術】
【０００２】
従来の円すいころ軸受としては、例えば、図５に示す円すいころ軸受１００が知られている（例えば、特許文献１参照）。
【０００３】
この円すいころ軸受１００は、内周面に外輪軌道面１０１ａを有する外輪１０１と、外周面に内輪軌道面１０２ａを有する内輪１０２と、外輪軌道面１０１ａと内輪軌道面１０２ａとの間に転動自在に配設される複数の円すいころ１０３と、円すいころ１０３を円周方向に等間隔に保持する保持器１０４と、を備える。
【０００４】
保持器１０４は、図６に示すように、大径側円環部１０４ａと、大径側円環部１０４ａと同軸配置される小径側円環部１０４ｂと、を有する。大径側円環部１０４ａと小径側円環部１０４ｂとは、円周方向に略等間隔で複数配置された柱部１０５によって連結されており、円周方向に互いに隣り合う各柱部１０５の間に、円すいころ１０３を転動可能に保持するポケット部１０６が形成される。
【０００５】
ところで、自動車の回転支持部に用いられる円すいころ軸受は、エンジン本体や駆動系ユニットの効率向上を図るため、低トルク化が要求されている。また、従来の円すいころ軸受では、一般に鉄製の保持器が用いられていたが、鉄製の保持器の場合、ころ案内時の摩耗や剥離が懸念され、寿命低下を招く可能性があり、また、重量が大きいため低トルク化を図るには不利であった。
【０００６】
一方、合成樹脂製の保持器の場合、鉄製の保持器と比較して、ころ案内時の摩耗や剥離を抑制することができ、また、軽量であるため低トルク化を図る上で有利である。
【０００７】
【特許文献１】特開２００３−２８１６５号公報
【発明の開示】
【発明が解決しようとする課題】
【０００８】
しかしながら、合成樹脂製の保持器では、図６に示すように、保持器１０４のポケット部１０６に円すいころ１０３を挿入した状態で内輪１０２を保持器１０４の大径側端部から保持器１０４の内周部に圧入して組み込む際に、保持器１０４の小径側端部がしめしろ（図６のφＤ２−φＤ１）の分だけ径方向外方に大きく変形してしまう。この場合、保持器１０４には、変形逃げがないため非常に大きな応力が発生し、保持器１０４が破損する可能性があった。
【０００９】
また、内輪１０２を組み込む際の保持器１０４の変形を抑えるために、圧入しめしろを小さくすることも考えられるが、圧入しめしろを小さくすると、組み込み後の円すいころ１０３と内輪１０２とのかかりしろが小さくなってしまい、場合によってはころバレを引き起こす可能性があった。
【００１０】
本発明は、このような不都合を解消するためになされてものであり、その目的は、軸受の低トルク化及び長寿命化を図ることができると共に、組み込み時の変形により保持器に発生する応力を緩和することができる円すいころ軸受を提供することにある。
【課題を解決するための手段】
【００１１】
本発明の上記目的は、下記の構成により達成される。
（１）  内周面に外輪軌道面を有する外輪と、外周面に内輪軌道面を有する内輪と、外輪軌道面と内輪軌道面との間に転動自在に配設される複数の円すいころと、円すいころを円周方向に等間隔に保持する保持器と、を備え、保持器は、大径側円環部と、大径側円環部と同軸配置される小径側円環部と、大径側円環部と小径側円環部とを連結すべく、円周方向に等間隔で複数配置される柱部と、円周方向に互いに隣り合う柱部の間に形成され、円すいころを転動可能に保持するポケット部と、を有する円すいころ軸受であって、保持器の柱部の外周面とポケット部の円周方向を向く側面との間に面取部を設けることを特徴とする円すいころ軸受。
（２）  面取部は、傾斜面であることを特徴とする（１）に記載の円すいころ軸受。
（３）  円すいころは、ポケット部に保持器の外周面側から圧入により組み込まれることを特徴とする（１）又は（２）に記載の円すいころ軸受。
【発明の効果】
【００１２】
本発明の円すいころ軸受によれば、保持器の柱部の外周面とポケット部の円周方向を向く側面との間に面取部を設けるため、円すいころをポケット部に保持器の外周面側から圧入により組み込むことができる。これにより、組み込み時の変形により保持器に発生する応力を緩和することができる。
【００１３】
また、保持器を合成樹脂製としているため、鉄製の保持器と比較して軽量であるので、軸受の低トルク化を図ることができると共に、ころ案内時の摩耗や剥離を抑制することができるので、軸受の長寿命化を図ることができる。
【発明を実施するための最良の形態】
【００１４】
以下、本発明に係る円すいころ軸受の一実施形態について、図面を参照して詳細に説明する。
図１は本発明に係る円すいころ軸受の一実施形態を説明するための要部断面図、図２は図１のＡ−Ａ線矢視断面図、図３は図１に示す円すいころ軸受の組み込み方法を説明するための要部断面図、図４は図３のＢ−Ｂ線矢視断面図である。
【００１５】
本実施形態の円すいころ軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動自在に配設される複数の円すいころ１３と、円すいころ１３を円周方向に等間隔に保持する保持器１４と、を備える。
【００１６】
保持器１４は、合成樹脂の射出成形により形成されており、大径側円環部１４ａと、大径側円環部１４ａと同軸配置される小径側円環部１４ｂと、を有する。大径側円環部１４ａと小径側円環部１４ｂとは、円周方向に略等間隔で複数配置された柱部１５によって連結されており、円周方向に互いに隣り合う各柱部１５の間には、図２に示すように、円すいころ１３を転動可能に保持するポケット部１６が形成される。また、保持器１４の柱部１５の内周面とポケット部１６の円周方向を向く側面との間には、円すいころ１３の外周面に対応する案内面１６ａが形成される。なお、保持器１４の合成樹脂材料としては、自己潤滑性、強度、耐熱性などを考慮すると、ポリアミドやポリフェニレンサルファイド等が好ましいが、特に限定するものではない。
【００１７】
そして、本実施形態では、図２に示すように、保持器１４の柱部１５の外周面とポケット部１６の円周方向を向く側面との間、即ち、柱部１５の外周面とポケット部１６の案内面１６ａとの間に、傾斜面からなる面取部１７を形成している。これにより、図３及び図４に示すように、内輪１２に保持器１４を外挿した状態で、円すいころ１３をポケット部１６に保持器１４の外周面側から圧入により挿入して、ポケット部１６と内輪軌道面１２ａとの間に組み込むことが可能となる。
【００１８】
面取部１７は、円すいころ１３をポケット部１６に挿入する際の円すいころ１３の案内面として機能する。また、面取部１７に案内された円すいころ１３は、案内面１６ａと面取部１７との間に形成される突起部１８を弾性的に乗り越えてポケット部１６に挿入されて、ポケット部１６と内輪軌道面１２ａとの間に組み込まれる。そして、この組み込み状態においては、円すいころ１３は、弾性復帰した突起部１８によりポケット部１６内に保持される。
【００１９】
このように構成された円すいころ軸受１０では、図４に示すように、円すいころ１３がポケット部１６の突起部１８を弾性的に乗り越える際に、柱部１５が弾性変形（図４の一点鎖線参照）するが、円すいころ１３をポケット部１６に１個ずつ挿入させるため、変形逃げとなる空間が多数存在し、保持器１４に作用する応力が小さい。また、面取部１７を形成することにより、柱部１５の断面剛性を低下させて変形性能を増加するため、円すいころ１３の組み込み時に保持器１４に作用する応力が緩和される。
【００２０】
以上説明したように、本実施形態の円すいころ軸受１０によれば、保持器１４の柱部１５の外周面とポケット部１６の円周方向を向く側面との間に面取部１７を設けるため、円すいころ１３をポケット部１６に保持器１４の外周面側から圧入により組み込むことができる。これにより、組み込み時の変形により保持器１４に発生する応力を緩和することができるので、保持器１４の破損を回避することができる。
【００２１】
また、本実施形態の円すいころ軸受１０によれば、保持器１４を合成樹脂製としているため、鉄製の保持器と比較して軽量であるので、軸受１０の低トルク化を図ることができると共に、ころ案内時の摩耗や剥離を抑制することができるので、軸受１０の長寿命化を図ることができる。
【図面の簡単な説明】
【００２２】
【図１】本発明に係る円すいころ軸受の一実施形態を説明するための要部断面図である。
【図２】図１のＡ−Ａ線矢視断面図である。
【図３】図１に示す円すいころ軸受の組み込み方法を説明するための要部断面図である。
【図４】図３のＢ−Ｂ線矢視断面図である。
【図５】従来の円すいころ軸受を説明するための要部断面図である。
【図６】図５に示す円すいころ軸受の組み込み方法を説明するための要部断面図である。
【符号の説明】
【００２３】
１０      円すいころ軸受
１１      外輪
１１ａ    外輪軌道面
１２      内輪
１２ａ    内輪軌道面
１３      円すいころ
１４      保持器
１４ａ    大径側円環部
１４ｂ    小径側円環部
１５      柱部
１６      ポケット部
１６ａ    案内面
１７      面取部
１８      突起部
【図１】
2008175299.tif 000003
【図２】
2008175299.tif 000004
【図３】
2008175299.tif 000005
【図４】
2008175299.tif 000006
【図５】
2008175299.tif 000007
【図６】
2008175299.tif 000008